(57)【特許請求の範囲】
【請求項１】
光学的入力可能なディスプレイ駆動回路において、
マトリックス状に配置されている複数の画素区域と、
各画素区域中にそれぞれ設けられている複数の画素電極と、
第一方向に沿って互いに平行に設けられている複数のゲート線と、
第二方向に沿って互いに平行に設けられるとともに、前記ゲート線と交差するように設けられた複数のデータ線であって、互いに隣接して設けられている第一データ線と第二データ線を含み、前記第一データ線と前記第二データ線との間にはどんなデータ線も設けられていない複数のデータ線と、
少なくとも一部分が１つの前記画素区域内に設けられ、且つ１つの前記ゲート線に電気連結されている少なくとも１つの光検出ユニットと、
前記光検出ユニットに電気連結され、且つ前記第一データ線と前記第二データ線との間に設けられている少なくとも１つの読取り線とを含み、
前記読取り線と前記第一データ線との間には第一間隔が形成され、前記読取り線と前記第二データ線との間には第二間隔が形成されており、且つ前記第一間隔が前記第二間隔より大きいか或いは等しく、且つ第二間隔の三倍より小さいか或いは等しいことを特徴とする光学的入力可能なディスプレイ駆動回路。
【請求項２】
前記第一間隔と前記第二間隔が等しいことを特徴とする請求項１に記載の光学的入力可能なディスプレイ駆動回路。
【請求項３】
前記第一間隔が前記第二間隔の二倍より小さいか或いは等しいことを特徴とする請求項１に記載の光学的入力可能なディスプレイ駆動回路。
【請求項４】
前記画素区域は、相互に交差する前記ゲート線と前記データ線により区画され、且つ前記読取り線は、垂直である投影方向において前記画素電極の少なくとも一部分と重なっていることを特徴とする請求項１に記載の光学的入力可能なディスプレイ駆動回路。
【請求項５】
前記第一方向に延伸され、且つ互いに平行に設けられている複数の共通線をさらに含み、前記光検出ユニットが１つの前記共通線に電気連結されていることを特徴とする請求項１に記載の光学的入力可能なディスプレイ駆動回路。
【請求項６】
前記第二方向に延伸され、且つ互いに平行に設けられている複数の共通線をさらに含み、前記光検出ユニットが１つの前記共通線に電気連結されていることを特徴とする請求項１に記載の光学的入力可能なディスプレイ駆動回路。
【請求項７】
前記画素区域中にそれぞれ設けられている複数の共通電極をさらに含み、前記光検出ユニットが少なくと１つの共通電極に電気連結されていることを特徴とする請求項１に記載の光学的入力可能なディスプレイ駆動回路。
【請求項８】
各画素区域にそれぞれ設けられている複数の表示切替部品とさらに含み、各表示切替部品は、１つのゲート線と１つのデータ線と１つの画素電極とに電気連結されていることを特徴とする請求項１に記載の光学的入力可能なディスプレイ駆動回路。
【請求項９】
前記画素電極は、前記第一方向に沿って互いに隣接して設けられている第一画素電極と第二画素電極をさらに含み、前記第一画素電極と前記第二画素電極との間にはどんな前記画素電極及び前記データ線も設けられていないことを特徴とする請求項１に記載の光学的入力可能なディスプレイ駆動回路。
【請求項１０】
前記第一画素電極と前記第二画素電極が、前記第一データ線と前記第二データ線との間に設けられていることを特徴とする請求項９に記載の光学的入力可能なディスプレイ駆動回路。
【請求項１１】
前記読取り線は、前記第一画素電極と前記第二画素電極との間に設けられていることを特徴とする請求項１０に記載の光学的入力可能なディスプレイ駆動回路。
【請求項１２】
前記データ線は、第一方向において前記第二データ線に隣接して設けられている少なくとも１つの第三データ線をさらに含み、前記第二データ線と前記第三データ線との間にはどんな前記データ線及び前記画素電極も設けられていないことを特徴とする請求項１に記載の光学的入力可能なディスプレイ駆動回路。
【請求項１３】
前記読取り線が前記ゲート線に垂直に設けられていることを特徴とする請求項１に記載の光学的入力可能なディスプレイ駆動回路。
【請求項１４】
前記光検出ユニットが光感知部品を含むことを特徴とする請求項１に記載の光学的入力可能なディスプレイ駆動回路。
【発明の詳細な説明】
【技術分野】
【０００１】
本発明は、ディスプレイ駆動回路に関し、特に光学的入力可能なディスプレイ駆動回路に関する。
【背景技術】
【０００２】
近年、タッチ技術が急速に発展することにより、タッチ技術を応用した様々な消費者向けの電子製品、例えば携帯電話（mobile  phone）、ＧＰＳナビゲーションシステム（ＧＰＳ  navigator  system）、タブレットＰＣ（tablet  ＰＣ）、ノートパソコン（laptop  ＰＣ）、デスクトップパソコン（desktop  ＰＣ）などが続々出ている。上述した各電子製品は、主として、もともと具備している表示パネルにタッチ機能を付与したものである。即ち、タッチ機能を有していない表示パネルの代わりに、タッチ識別機能を有している表示パネルを用いたものである。タッチ表示パネルの構造が異なることにより、タッチ表示パネルを外掛け式（out-cell）タッチ表示パネルと、内嵌め式（in-cell／on-cell）タッチ表示パネルに分類することができる。外掛け式タッチ表示パネルは、独立するタッチパネルと普通の表示パネルを組み合わせたものであり、内嵌め式タッチ表示パネルは、タッチ感知装置を表示パネル基板の内側又は外側に直接設けたものである。例えば、タッチ感知装置を液晶表示パネルのカラーフィルタ（color  filter  substrate）又は薄膜ドランジスタアレイ基板（ＴＦＴ  array  substrate）に設けることにより、in-cell内嵌め式タッチ表示パネルを得ることができる。
【０００３】
図１を参照する。図１は、従来の光学的入力可能なディスプレイ駆動回路１００を示す図である。従来のディスプレイ駆動回路１００は、通常アレイ基板上に設けられる。ディスプレイ駆動回路１００は、駆動回路に垂直に形成されているゲート線１１０及びデータ線１２０と、対応する表示切替部品１６０とが設けられるだけではなく、光検出ユニット１４０と読取り線１３０がさらに設けられている。光検出ユニット１４０は、タッチを検出するとともに、検出した光信号を読取り線１３０を通して伝送する。一般的な設計においては、読取り線１３０とデータ線１２０が互いに隣接し、且つ互いに略平行に設けられている。即ち、読取り線１３０が伝送する光信号がデータ線１２０が伝送する表示データ信号の干渉を容易に受けるので、光信号を判断することに影響を与え、タッチ信号の処理が複雑になり、対応する集積回路（integrated  circuit、ＩＣ）の演算に負担がかかる。
【発明の概要】
【発明が解決しようとする課題】
【０００４】
本発明の目的は、光学的入力可能なディスプレイ駆動回路を提供することにある。即ち、読取り線が設けられる位置を変更することにより、読取り線とデータ線との間の距離を拡大し、読取り線とデータ線との間の信号干渉を減少させ、受信した光信号を判断する正確度を向上させるとともに、対応する電子回路の運算負担を低減する光学的入力可能なディスプレイ駆動回路を提供することにある。
【課題を解決するための手段】
【０００５】
上述した目的を解決するため、本発明は後述する光学的入力可能なディスプレイ駆動回路を提供する。この光学的入力可能なディスプレイ駆動回路は、複数の画素区域と、複数の画素電極と、複数のゲート線と、複数のデータ線と、少なくとも１つの光検出ユニットと、少なくとも１つの読取り線とを含む。複数の画素区域は、マトリックス状に配置されている。複数の画素電極は、各画素区域中にそれぞれ設けられている。複数のゲート線は、第一方向に延伸され、且つ互いに平行に設けられている。複数のデータ線は、第二方向に延伸され、且つ互いに平行に設けられている。データ線とゲート線は、相互に交差するように設けられている。データ線は、互いに隣接して設けられている第一データ線と第二データ線を含み、第一データ線と第二データ線との間にはどんなデータ線も設けられていない。光検出ユニットの少なくとも一部分は、１つの画素区域内に設けられ、且つ１つのゲート線に電気連結されている。読取り線は、光検出ユニットに電気連結され、且つ第一データ線と第二データ線との間に設けられている。読取り線と第一データ線との間には第一間隔が形成され、読取り線と第二データ線との間には第二間隔が形成されている。第一間隔は、第二間隔より大きいか或いは等しく、且つ第二間隔の三倍より小さいか或いは等しい。
【図面の簡単な説明】
【０００６】
【図１】従来の光学的入力可能なディスプレイ駆動回路を示す図である。
【図２】本発明の第一実施例に係る光学的入力可能なディスプレイ駆動回路を示す図である。
【図３】本発明の第一実施例に係る光学的入力可能なディスプレイ駆動回路の等価回路を示す図である。
【図４】本発明の第二実施例に係る光学的入力可能なディスプレイ駆動回路を示す図である。
【図５】本発明の第二実施例に係る光学的入力可能なディスプレイ駆動回路の等価回路を示す図である。
【図６】本発明の第三実施例に係る光学的入力可能なディスプレイ駆動回路を示す図である。
【図７】本発明の第四実施例に係る光学的入力可能なディスプレイ駆動回路を示す図である。
【図８】本発明の第五実施例に係る光学的入力可能なディスプレイ駆動回路を示す図である。
【図９】本発明の第六実施例に係る光学的入力可能なディスプレイ駆動回路を示す図である。
【発明を実施するための形態】
【０００７】
本発明の明細書と請求の範囲において、特定の技術用語を使って本発明の特定部品を説明する場合がある。常識を有している本技術領域の技術者は、異なる用語でも同様な部品を示す可能性があることを知るはずである。本発明の明細書と請求の範囲においては、各用語の意味の相違点により部品を区分せず、各部品の機能上の相違点により各部品を区分する。本発明の明細書と請求の範囲中の「含む」という用語が開放的な用語であるので、「〜のみを含む」と理解してはいけない。また、「接続」又は「連結」という用語は、直接的又は間接的な電気接続される関係と、構造的な連結される関係を含んでいる。従って、例えば「第一装置が第二装置に接続／連結されている」と説明する場合、第一装置が直接に第二装置に電気的に接続される／構造的に連結されることを意味するか、或いは他の装置又は連結手段により間接的に第二装置に電気的に接続／構造的に連結されることを意味する。
【０００８】
図２を参照すると、図２には本発明の第一実施例に係る光学的入力可能なディスプレイ駆動回路が示されている。本発明を容易に理解させるため、本発明の図面を表示の需要に従って各部品を描いたが、実際の需要に従って各部品の間の比率を設けることができる。図２に示す通り、本実施例で提供する光学的入力可能なディスプレイ駆動回路２００は、複数の画素区域ＰＸと、複数の画素電極ＰＥ、複数のゲート線ＧＬ、複数のデータ線ＤＬ、少なくとも１つの光検出ユニット２２０と、少なくとも１つの読取り線ＲＬとを含む。画素区域ＰＸは、マトリックス状に配置されている。画素電極ＰＥは、各画素区域ＰＸ中にそれぞれ設けられている。複数のゲート線ＧＬは、第一方向Ｘに延伸され、且つ互いに平行に設けられており、複数のデータ線ＤＬは、第二方向Ｙに延伸され、且つ互いに平行に設けられており、ゲート線ＧＬとデータ線ＤＬは、相互に交差するように設けられている。本実施例において、第一方向Ｘと第二方向Ｙが略垂直であることが好ましいが、このような構造にのみ限定されるものではない。本実施例において、マトリックス状に配置されている画素区域ＰＸは、相互に交差するゲート線ＧＬとデータ線ＤＬにより区画されるが、このような構造にのみ限定されるものではない。データ線ＤＬは、互いに隣接して設けられている第一データ線ＤＬ１と第二データ線ＤＬ２を含み、第一データ線ＤＬ１と第二データ線ＤＬ２との間には、どんなデータ線ＤＬも設けられていない。光検出ユニット２２０の少なくとも一部分が１つの画素区域ＰＸ内に設けられ、且つ光検出ユニット２２０が１つのゲート線ＧＬに電気連結されている。読取り線ＲＬは、光検出ユニット２２０に電気連結されて光検出ユニット２２０が受信した信号を読み取って伝送するとともに、その信号により光感知結果を判断する。本発明の光検出ユニット２２０は、少なくとも１つの光感知部品を、例えば光感知型トランジスタを含むことが好ましいが、このような構造にのみ限定されるものではない。本発明の光検出ユニット２２０は、環境光の状況及びその変化のみを検出する環境光検出センサー（Ambient  Light  Sensor）として使用することができる。ディスプレイ駆動回路２００は、需要に合わせて複数の光検出ユニット２２０を設けることができ、且つ光検出ユニット２２０を配列することにより、ディスプレイ駆動回路２００がタッチ位置検出機能又は画像配列（Image  Array）機能を有するようにすることができる。
【０００９】
本実施例において、読取り線ＲＬは、第一データ線ＤＬ１と第二データ線ＤＬ２との間に設けられている。読取り線ＲＬは、データ線ＤＬに平行に設けられることが好ましい。即ち、読取り線ＲＬは、ゲート線ＧＬに交差に設けられることが好ましいが、このような構造にのみ限定されるものではない。読取り線ＲＬと第一データ線ＤＬ１との間には第一間隔Ｄ１が形成され、読取り線ＲＬと第二データ線ＤＬ２との間には第二間隔Ｄ２が形成されている。第一間隔Ｄ１は、第二間隔Ｄ２より大きいか或いは等しく、且つ第二間隔Ｄ２の三倍より小さいか或いは等しい。好ましくは、第一間隔Ｄ１が第二間隔Ｄ２の二倍より小さいか或いは等しいことがよいが、このような構造にのみ限定されるものではない。即ち、隣接する２つのデータ線ＤＬの間の距離を第一方向Ｘに沿う各画素区域ＰＸの幅と見なすとき、読取り線ＲＬと隣接するデータ線ＤＬとの間の距離が各画素区域ＰＸの第一方向Ｘに沿う幅の四分の一より大きいか或いは等しく、且つ各画素区域ＰＸの第一方向Ｘに沿う幅の四分の三より小さいか或いは等しい。好ましくは、読取り線ＲＬと隣接するデータ線ＤＬとの間の距離が各画素区域ＰＸの第一方向Ｘに沿う幅の三分の一より大きいか或いは等しく、且つ各画素区域ＰＸの第一方向Ｘに沿う幅の三分の二より小さいか或いは等しいことがよいが、このような構造にのみ限定されるものではない。読取り線ＲＬと隣接するデータ線ＤＬとの間の距離を制御することにより、読取り線ＲＬとデータ線ＤＬとの間の信号干渉を減少させ、光検出ユニット２２０が受信した光信号を判断する正確度を向上させるとともに、対応する電子回路の運算負担を低減することができる。図２に示す通り、第一間隔Ｄ１と第二間隔Ｄ２を略等しくすることにより、読取り線ＲＬが隣接する２つのデータ線ＤＬに略同じな影響を与えるようにすることが好ましいが、このような構造にのみ限定されるものではない。また、読取り線ＲＬは、垂直である投影方向Ｚにおいて画素電極ＰＥの少なくとも一部分と重なっている。前記垂直の投影方向Ｚが、第一方向Ｘと第二方向Ｙに略垂直であることが好ましいが、本発明がこのような構造にのみ限定されるものではない。
【００１０】
図２に示す通り、本実施例に係る光学的入力可能なディスプレイ駆動回路２００は、各画素区域ＰＸにそれぞれ設けられている複数の表示切替部品２１０とさらに含むことができる。各表示切替部品２１０は、１つのゲート線ＧＬと１つのデータ線ＤＬと１つの画素電極ＰＥとに電気連結されている。本実施例において、画素区域ＰＸは、第一方向Ｘに沿って配置されている第一画素区域ＰＸ１と第二画素区域ＰＸ２と第三画素区域ＰＸ３とを含み、画素電極ＰＥは、第一画素区域ＰＸ１と第二画素区域ＰＸ２と第三画素区域ＰＸ３とにそれぞれ設けられている第一画素電極ＰＥ１と第二画素電極ＰＥ２と第三画素電極ＰＥ３とを含む。即ち、第一画素電極ＰＥ１と第二画素電極ＰＥ２が第一方向Ｘにおいて互いに隣接し、且つ第一画素電極ＰＥ１と第二画素電極ＰＥ２と第三画素電極ＰＥ３とが第一方向Ｘに沿って順序に配置されている。データ線ＤＬは、第一方向Ｘにおいて第二データ線ＤＬ２に隣接して設けられている少なくとも１つの第三データ線ＤＬ３をさらに含むことができる。第一データ線ＤＬ１と第二データ線ＤＬ２と第三データ線ＤＬ３がそれぞれ、第一画素区域ＰＸ１と第二画素区域ＰＸ２と第三画素区域ＰＸ３中にある表示切替部品２１０に連結されているので、データ信号を各画素区域ＰＸ中の表示切替部品２１０に送信することができる。また、画素区域と対向するカラーフィルタ（図示せず）又は有機発光部品（図示せず）を設けることにより、第一画素区域ＰＸ１と第二画素区域ＰＸ２と第三画素区域ＰＸ３とがそれぞれ青光、赤光、緑光を発生するようにし、且つこれらの光を混ぜて幅広い色を再現することできる。本実施例の光検出ユニット２２０は、青光を発生する第一画素区域ＰＸ１中にそれぞれ設けられているが、本発明がこのような構造にのみ限定されるものではない。他の実施例において、需要に合わせて光検出ユニット２２０を他の画素区域ＰＸに設けるか、或いはすべての画素区域ＰＸに設けることができる。
【００１１】
図２と図３を参照する。図３は、本発明の第一実施例に係る光学的入力可能なディスプレイ駆動回路２００の等価回路を示す図である。図２と図３に示す通り、本実施例の光学的入力可能なディスプレイ駆動回路２００は、第一方向Ｘに延伸され、且つ互いに平行に設けられている複数の共通線ＣＳをさらに含む。各表示切替部品２１０は、ゲート２１１とソース２１２とドレイン２１３とから構成される１つの薄膜ドランジスタを含むことが好ましい。表示切替部品２１０のゲート２１１は、ゲート線ＧＬに連結され、ソース２１２は、データ線ＤＬに連結されている。共通電圧Ｖｃｏｍを有する共通電極（common  electrode）ＣＥと、画素電極ＰＥと、共通電極ＣＥと画素電極ＰＥとの間の材料、例えば液晶材料（図示せず）とにより、結合コンデンサー２９１が構成され、且つドレイン２１３と、共通線ＣＳと、ドレイン２１３と共通線ＣＳとの間の材料、例えば誘電材料（図示せず）とにより、記憶コンデンサー２９２が構成される。本実施例の光検出ユニット２２０は、ゲート２２１とソース２２２とドレイン２２３とから構成される１つの光感知型ドランジスタを含むことが好ましい。前記光感知型ドランジスタ中の半導体層、例えばアモルファスシリコンが有している受光電流特性により、外部光線の有無と外部光線の強度を検出することができる。本実施例において、光検出ユニット２２０のゲート２２１は、ゲート線ＧＬに連結され、ソース２２２とドレイン２２３は、互いに短絡されている。共通線ＧＳと読取り線ＲＬは、相互に交差するように設けられ、光検出ユニット２２０のソース２２２は、読取り線ＲＬに連結されている。光検出ユニット２２０が光信号を検出した場合、光検出ユニット２２０が電流を発生するとともに、読取り線ＲＬを通して演算回路（図示せず）に提供して、演算回路がこの電流を判断するようにする。従って、本実施例の光学的入力可能なディスプレイ駆動回路２００は、表示切替部品２１０により表示状況を制御することができる。また、１つの光源（例えば、タッチ用ライトペン又は電灯）、タッチペン又は指を移動させるときに生ずる暗影又は反射強度の変化により光信号が発生する場合、光検出ユニット２２０が光信号を検出するとともに、検出した光信号を入力信号とする。従って、本実施例の光学的入力可能なディスプレイ駆動回路２００は、表示を行うとともに、同時に光感知入力を行うことができる。
【００１２】
以下、本発明の他の実施例について説明する。説明を簡素化するため、以下各実施例の間の相違点のみを詳述し、同じな技術的事項は再び説明しない。また、各実施例を互いに対照させるため、本発明の各実施例において、同様な符合で同様な部品を示す。
【００１３】
図４と図５を参照する。図４は、本発明の第二実施例に係る光学的入力可能なディスプレイ駆動回路を示す図である。図５は、本実施例に係る光学的入力可能なディスプレイ駆動回路の等価回路を示す図である。図４と図５に示す通り、本実施例の光学的入力可能なディスプレイ駆動回路３００は、複数の画素区域ＰＸと、複数の画素電極ＰＥ、複数のゲート線ＧＬ、複数のデータ線ＤＬ、複数の共通線ＣＳと、少なくとも１つの光検出ユニット３２０と、少なくとも１つの読取り線ＲＬとを含む。光検出ユニット３２０の少なくとも一部分が１つの画素区域ＰＸ内に設けられ、且つ光検出ユニット３２０がゲート線ＧＬに電気連結されている。読取り線ＲＬは、光検出ユニット３２０に電気連結されて光検出ユニット３２０が受信した信号を読み取って伝送するとともに、この信号により光感知結果を判断する。本実施例と上述した第一実施例との間の相違点は、本実施例の光検出ユニット３２０が１つの共通線ＣＳに電気連結されていることにある。具体的に説明すると、本実施例の光検出ユニット３２０は、光感知型ドランジスタＴ１と、光感知型ドランジスタＴ１に連結されて光感知型ドランジスタＴ１の開閉を制御するスイッチ型ドランジスタＴ２とを含む。より具体的に説明すると、光感知型ドランジスタＴ１のゲート３２１が１つの共通線ＣＳに連結され、光感知型ドランジスタＴ１のドレイン３２３も同一な共通線ＣＳに連結されることにより、ゲート３２１とドレイン３２３が互いに短絡されている。スイッチ型ドランジスタＴ２のゲート３３１は、ゲート線ＧＬに連結され、スイッチ型ドランジスタＴ２のソース３３２は、読取り線ＲＬに連結され、スイッチ型ドランジスタＴ２のドレイン３３３は、光感知型ドランジスタＴ１のソース３２２に連結されている。光感知型ドランジスタＴ１が光信号を検出するとき、この光信号は、１つの光源（例えば、タッチ用ライトペン又は電灯）、タッチペン又は指を移動させるときに生じる暗影又は反射強度の変化により発生することである。ゲート線ＧＬが選択されてスイッチ型ドランジスタＴ２がオンされるとき、光感知型ドランジスタＴ１で発生された電流信号を読取り線ＲＬに提供することができる。本実施例において、表示切替部品２１０とスイッチ型ドランジスタＴ２が同一なゲート線ＧＬに連結されているので、表示切替部品２１０を開閉することにより、スイッチ型ドランジスタＴ２を一緒に開閉することができる。これにより、同一な読取り線ＲＬに連結されている光検出ユニット３２０を時間順に起動させて、その光検出ユニットが光を検出するようにすることができる。従って、第二方向Ｙに沿って光信号の位置を判断するとともに、マルチタッチ機能を実現することができる。
【００１４】
図６を参照する。図６は、本発明の第三実施例に係る光学的入力可能なディスプレイ駆動回路を示す図である。図６に示す通り、本実施例の光学的入力可能なディスプレイ駆動回路と４００と第一実施例光学的入力可能なディスプレイ駆動回路との間の相違点は、本実施例の第一画素電極ＰＥ１と第二画素電極ＰＥ２が第一データ線ＤＬ１と第二データ線ＤＬ２との間に設けられ、且つ第一画素電極ＰＥ１と第二画素電極ＰＥ２との間にはどんな画素電極ＰＥ及びデータ線ＤＬも設けられておらず、第二データ線ＤＬ２と第三データ線ＤＬ３との間にはどんなデータ線ＤＬ及び画素電極ＰＥも設けられていないことにある。読取り線ＲＬは、第一データ線ＤＬ１と第二データ線ＤＬ２との間に設けられている。読取り線ＲＬと第一データ線ＤＬ１との間の第一間隔Ｄ１は、読取り線ＲＬと第二データ線ＤＬ２との間の第二間隔Ｄ２より大きいか或いは等しく、且つ第一間隔Ｄ１が第二間隔Ｄ２の三倍より小さいか或いは等しい。好ましくは、第一間隔Ｄ１が第二間隔Ｄ２の二倍より小さいか或いは等しいことがよいが、このような事項にのみ限定されるものではない。読取り線ＲＬと隣接するデータ線ＤＬとの間の距離は、第一データ線ＤＬ１と第二データ線ＤＬ２との間の第一方向Ｘに沿う距離の四分の一より大きいか或いは等しく、且つ第一データ線ＤＬ１と第二データ線ＤＬ２との間の第一方向Ｘに沿う距離の四分の三より小さいか或いは等しい。好ましくは、読取り線ＲＬと隣接するデータ線ＤＬとの間の距離が第一データ線ＤＬ１と第二データ線ＤＬ２との間の第一方向Ｘに沿う距離の三分の一より大きいか或いは等しく、且つ第一データ線ＤＬ１と第二データ線ＤＬ２との間の第一方向Ｘに沿う距離の三分の二より小さいか或いは等しいことがよいが、このような構造にのみ限定されるものではない。図６に示す通り、第一間隔Ｄ１と第二間隔Ｄ２を略等しくし、且つ読取り線ＲＬを第一画素電極ＰＥ１と第二画素電極ＰＥ２との間に設けることにより、読取り線ＲＬが隣接する２つのデータ線ＤＬに略同じな影響を与えるようにすることが好ましいが、このような構造にのみ限定されるものではない。本実施例の電子回路の配置方法により、読取り線ＲＬと隣接するデータ線ＤＬとの間の距離を拡大するとともに、読取り線ＲＬを設けることにより画素区域ＰＸの開口率に影響を与えることを避けることができるので、光感知効果と表示効果を向上させる目的を実現することができる。
【００１５】
図７を参照する。図７は、本発明の第四実施例に係る光学的入力可能なディスプレイ駆動回路を示す図である。図７に示す通り、本実施例の光学的入力可能なディスプレイ駆動回路と５００と第三実施例光学的入力可能なディスプレイ駆動回路との間の相違点は、光検出ユニット３２０が１つの共通線ＣＳに電気連結されていることにある。光検出ユニット３２０の他の特徴について、第二実施例において詳細に説明したので、ここでは再び説明しない。
【００１６】
図８を参照する。図８は、本発明の第五実施例に係る光学的入力可能なディスプレイ駆動回路を示す図である。図８に示す通り、本実施例の光学的入力可能なディスプレイ駆動回路と６００と第四実施例光学的入力可能なディスプレイ駆動回路との間の相違点は、本実施例の共通線ＣＳが第二方向Ｙに沿って互いに平行に設けられ、且つ光検出ユニット３２０が１つの共通線ＣＳに電気連結されていることにある。また、本実施例の光学的入力可能なディスプレイ駆動回路と６００は、画素区域ＰＸ中にそれぞれ設けられる複数の共通電極ＣＥをさらに含むことができる。各共通線ＣＳは、対応する共通電極ＣＥに連結されて、共通電極ＣＥに共通信号を提供し、光検出ユニット３２０は、少なくと１つの共通電極ＣＥに電気連結されている。また、各画素区域ＰＸ中の共通電極ＣＥと画素電極ＰＥとの間の電場と画素電極ＰＥの形状を調節することにより、ＩＰＳ（in-plane  switching）液晶駆動操作方式を実現することができるが、このような方式にのみ限定されるものではない。
【００１７】
図９を参照する。図９は、本発明の第六実施例に係る光学的入力可能なディスプレイ駆動回路を示す図である。図９に示す通り、本実施例の光学的入力可能なディスプレイ駆動回路と７００と第五実施例光学的入力可能なディスプレイ駆動回路との間の相違点は、本実施例の共通線ＣＳが、第一方向Ｘに延伸される複数の第一共通線ＣＳ１と第二方向Ｙに延伸される複数の第二共通線ＣＳ２とを含み、且つ各共通電極ＣＥが第一共通線ＣＳ１と第二共通線ＣＳ２に連結されて共通信号を伝送することにある。光検出ユニット３２０は、少なくと１つの共通電極ＣＥに電気連結されている。
【００１８】
本発明の光学的入力可能なディスプレイ駆動回路は、読取り線と隣接するデータ線との間の距離を拡大することにより、読取り線とデータ線との間の信号干渉現象を減少させ、光検出ユニットが受信した光信号を判断する正確度を向上させるとともに、対応する電子回路の運算負担を低減することができる。また、本発明は、データ線の配置方式を調節することにより、読取り線と隣接するデータ線との間の距離を拡大するとともに、画素区域の開口率に影響を与えることを避けることができるので、光感知効果と表示効果を向上させる目的を実現することができる。
【００１９】
上述した本発明の好適な実施例は、本発明の例示にしか過ぎないものであるため、この発明は実施例の構成に限定されるものではなく、この発明の要旨を逸脱しない範囲の設計の変更等があっても当然にこの発明に含まれる。
【符号の説明】
【００２０】
２００、３００、４００、５００、６００、７００  光学的入力可能なディスプレイ駆動回路
２１０  表示切替部品
２１１、２２１、３２１、３３１  ゲート
２１２、２２２、３２２、３３２  ソース
２１３、２２３、３２３、３３３  ドレイン
２２０  光検出ユニット
２９１  結合コンデンサー
２９２  記憶コンデンサー
ＣＥ  共通電極
ＣＳ  共通線
ＣＳ１  第一共通線
ＣＳ２  第二共通線
ＤＬ  データ線
Ｄ１  第一間隔
Ｄ２  第二間隔
ＤＬ１  第一データ線
ＤＬ２  第二データ線
ＤＬ３  第三データ線
ＧＬ  ゲート線
ＰＥ  画素電極
ＰＥ１  第一画素電極
ＰＥ２  第二画素電極
ＰＥ３  第三画素電極
ＰＸ  画素区域
ＰＸ１  第一画素区域
ＰＸ２  第二画素区域
ＰＸ３  第三画素区域
ＲＬ  読取り線
Ｔ１  光感知型ドランジスタ
Ｔ２  スイッチ型ドランジスタ
Ｘ  第一方向
Ｙ  第二方向
Ｚ  第三方向
【図１】
0005628402.tif 000002
【図２】
0005628402.tif 000003
【図３】
0005628402.tif 000004
【図４】
0005628402.tif 000005
【図５】
0005628402.tif 000006
【図６】
0005628402.tif 000007
【図７】
0005628402.tif 000008
【図８】
0005628402.tif 000009
【図９】
0005628402.tif 000010